【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
デバイス間の無線リンクを可能にするための第１のデバイスにおける方法であって、前記方法は、
第２のデバイスの存在信号が第１の期間にわたって受信されるかどうかを検出することであって、前記第２のデバイスの前記存在信号は、タイムスロット境界を有する、ことと、
前記第２のデバイスの前記存在信号が検出されない場合、前記第１のデバイスによってタイムスロット境界を開始することあって、
選択されたタイムスロットで前記第１のデバイスの第１の存在信号を伝送することと、
前記第１の存在信号に対する確認応答をチェックすることと、
前記第１の存在信号に対する前記確認応答が受信される場合、前記第１の存在信号に基づいて、前記第１のデバイス上で前記タイムスロット境界を確立することと
を含む、ことと
を含む、方法。
【請求項２】
前記存在信号は、Ｚａｄｏｆｆ−Ｃｈｕシーケンスを備える、請求項１に記載の方法。
【請求項３】
前記第１のデバイスは、後続のフレームの間に、前記選択されたタイムスロットで前記第１の存在信号を伝送し、フレームが、整数のタイムスロットを備える、請求項１に記載の方法。
【請求項４】
タイムスロット持続時間は、事前に判定される、請求項１に記載の方法。
【請求項５】
前記第１の期間は、事前判定されたフレーム期間と、非決定論的競合期間とを備える、請求項１に記載の方法。
【請求項６】
前記フレーム期間は、整数のタイムスロット持続時間を備える、請求項５に記載の方法。
【請求項７】
前記第２のデバイスの前記存在信号が検出される場合、前記第１のデバイス上のタイムスロット境界を、前記第２のデバイスによって確立される前記タイムスロット境界に整合させることと、
前記第２のデバイスによって確立される前記タイムスロット境界に整合した後、前記第１のデバイスによる伝送のために使用するタイムスロットを判定することと
をさらに含む、請求項１に記載の方法。
【請求項８】
前記タイムスロットを判定することは、
１つ以上の空きタイムスロットを検出することと、
空きタイムスロットを選択することと、
前記選択された空きタイムスロット上で前記第１の存在信号を伝送することと
を含む、請求項７に記載の方法。
【請求項９】
前記第１の存在信号に対する確認応答をチェックすることをさらに含む、請求項８に記載の方法。
【請求項１０】
前記第１のデバイス以外の任意のデバイスの受信した存在信号に対する確認応答を送信することをさらに含む、請求項１に記載の方法。
【請求項１１】
前記第１の存在信号は、１つ以上のシーケンスを備える、請求項１に記載の方法。
【請求項１２】
前記第１の存在信号は、一次同期信号と、二次同期信号とを備える、請求項１１に記載の方法。
【請求項１３】
前記一次同期信号は、前記タイムスロット境界を確立するために使用される、請求項１２に記載の方法。
【請求項１４】
前記シーケンスのうちの１つ以上は、２つの連続する存在信号伝送の間で変動する、請求項１１に記載の方法。
【請求項１５】
前記シーケンスのうちの１つ以上は、複数の連続する存在信号伝送に対して同じままである、請求項１１に記載の方法。
【請求項１６】
前記第１の存在信号の選択は、前記第１のデバイスの識別に関する、請求項１に記載の方法。
【請求項１７】
デバイス間の無線リンクを可能にするための第１のデバイスにおける方法であって、前記方法は、
チャネル上の存在信号をリッスンすることであって、前記存在信号は、少なくとも１つのシーケンスを備える、ことと、
前記存在信号の検出の際に、
前記存在信号に対する確認応答を伝送することと、
前記存在信号の前記少なくとも１つのシーケンスを利用することによって、前記存在信号と関連付けられるタイムスロット境界に整合することと
を含み、
前記存在信号は、複数のデバイスの識別に関する一次同期信号と、前記存在信号を伝送するデバイスの識別に関する二次同期信号とを備える、方法。
【請求項１８】
前記存在信号は、Ｚａｄｏｆｆ−Ｃｈｕシーケンスを備える、請求項１７に記載の方法。
【請求項１９】
前記第１のデバイスは、信号衝突を識別するために、前記二次同期信号を使用する、請求項１７に記載の方法。
【請求項２０】
デバイス間の無線リンクを可能にするためのデバイスにおける方法であって、前記方法は、
チャネル上で別のデバイスから存在信号をリッスンすることと、
タイムスロット境界を確立するように、前記チャネル上で存在信号を伝送することと
を含み、
前記存在信号の前記伝送は、別のデバイスが前記確立されたタイムスロット境界に整合することを可能にし、
前記存在信号は、複数のデバイスの識別に関する一次同期信号と、前記デバイスの識別に関する二次同期信号とを備える、方法。
【請求項２１】
前記リッスンすることは、事前判定されたフレーム期間と、ランダムに生成された競合期間とを含む、第１の期間にわたって行われる、請求項２０に記載の方法。
【請求項２２】
前記フレーム期間は、整数のタイムスロット持続時間を備える、請求項２１に記載の方法。
【請求項２３】
デバイス間の無線リンクを可能にするための第１のデバイスにおける方法であって、前記方法は、
第２のデバイスの存在信号が第１の期間にわたって受信されるかどうかを検出することであって、前記第２のデバイスの前記存在信号は、タイムスロット境界を有する、ことと、
前記第２のデバイスの前記存在信号が検出されない場合、前記第１のデバイスによってタイムスロット境界を開始することであって、
基地局によって使用されるルートシーケンス指数と異なるルートシーケンス指数に基づいて第１の存在信号をランダムに選択することと、
無線フレーム番号の選択されたタイムスロットで前記第１のデバイスの前記第１の存在信号を伝送することと
を含む、ことと
を含む、方法。
【請求項２４】
前記ルートシーケンス指数は、Ｚａｄｏｆｆ−Ｃｈｕルートシーケンス指数を備える、請求項２３に記載の方法。
【請求項２５】
前記無線フレーム番号は、０から開始する、請求項２４に記載の方法。
【手続補正２】
【補正対象書類名】明細書
【補正対象項目名】０００５
【補正方法】変更
【補正の内容】
【０００５】
しかしながら、そのような通信のための中心制御がないため、ネットワークインフラストラクチャ要素を伴わない他のデバイスと通信するためのデバイスの動作には課題がある。
本願明細書は、例えば、以下の項目も提供する。
（項目１）
デバイス間の無線リンクを可能にするための第１のデバイスにおける方法であって、
第２のデバイスの存在信号が第１の期間にわたって受信されるかどうかを検出するステップであって、前記第２のデバイスの前記存在信号は、タイムスロット境界を有する、ステップと；
前記第２のデバイスの前記存在信号が検出されない場合、
選択されたタイムスロットで前記第１のデバイスの第１の存在信号を伝送するステップを含む、
前記第１のデバイスによってタイムスロット境界を開始するステップと、
を含む、方法。
（項目２）
前記第１の存在信号に対する確認応答が受信される場合、前記第１の存在信号に基づいて、前記第１のデバイス上で前記タイムスロット境界を確立するステップを含む、
項目１に記載の方法。
（項目３）
前記第１のデバイスは、後続のフレームの間に、前記選択されたタイムスロットで前記第１の存在信号を伝送し、フレームが、整数のタイムスロットを備える、項目２に記載の方法。
（項目４）
タイムスロット持続時間は、事前に判定される、項目１に記載の方法。
（項目５）
前記第１の期間は、事前判定されたフレーム期間と、非決定論的競合期間とを備える、項目１に記載の方法。
（項目６）
前記フレーム期間は、整数のタイムスロット持続時間を備える、項目５に記載の方法。
（項目７）
前記第２のデバイスの前記存在信号が検出される場合、前記第１のデバイス上のタイムスロット境界を、前記第２のデバイスによって確立される前記タイムスロット境界に整合させるステップと、
前記第２のデバイスによって確立される前記タイムスロット境界に整合した後、前記第１のデバイスによる伝送のために使用するタイムスロットを判定するステップと、
をさらに含む、項目１に記載の方法。
（項目８）
前記タイムスロットを判定するステップは、
１つまたはそれを上回る空きタイムスロットを検出するステップと、
空きタイムスロットを選択するステップと、
前記選択された空きタイムスロット上で前記第１の存在信号を伝送するステップと、
を含む、項目７に記載の方法。
（項目９）
前記第１の存在信号に対する確認応答をチェックするステップをさらに含む、項目８に記載の方法。
（項目１０）
前記第１のデバイス以外の任意のデバイスの受信した存在信号に対する確認応答を送信するステップをさらに含む、項目１に記載の方法。
（項目１１）
前記第１の存在信号は、１つ以上のシーケンスを備える、項目１に記載の方法。
（項目１２）
前記第１の存在信号は、一次同期信号と、二次同期信号とを備える、項目１１に記載の方法。
（項目１３）
前記一次同期信号は、前記タイムスロット境界を確立するために使用される、項目１２に記載の方法。
（項目１４）
前記シーケンスのうちの１つ以上は、２つの連続する存在信号伝送の間で変動する、項目１１に記載の方法。
（項目１５）
前記シーケンスのうちの１つ以上は、複数の連続する存在信号伝送に対して同じままである、項目１１に記載の方法。
（項目１６）
前記第１の存在信号の選択は、前記第１のデバイスの識別に関係付けられる、項目１に記載の方法。
（項目１７）
デバイス間の無線リンクを可能にするための第１のデバイスにおける方法であって、
チャネル上の存在信号であって、少なくとも１つのシーケンスを備える、存在信号をリッスンするステップと；
前記存在信号の検出の際に、
前記存在信号に対する確認応答を伝送するステップと；
前記存在信号の前記少なくとも１つのシーケンスを利用することによって、前記存在信号と関連付けられるタイムスロット境界に整合するステップと、
を含む、方法。
（項目１８）
前記存在信号は、Ｚａｄｏｆｆ−Ｃｈｕシーケンスを備える、項目１７に記載の方法。
（項目１９）
前記存在信号は、一次同期信号と、二次同期信号とを備える、項目１７に記載の方法。
（項目２０）
前記一次同期信号のシーケンスは、複数のデバイスの識別に関する、項目１９に記載の方法。
（項目２１）
前記二次同期信号の前記シーケンスは、前記存在信号を伝送するデバイスの識別に関する、項目１９に記載の方法。
（項目２２）
前記第１のデバイスは、信号衝突を識別するために、前記二次同期信号を使用する、項目２１に記載の方法。
（項目２３）
デバイス間の無線リンクを可能にするためのデバイスにおける方法であって、
チャネル上で別のデバイスから存在信号をリッスンするステップと；
タイムスロット境界を確立するように、前記チャネル上で存在信号を伝送するステップと、
を含み、前記存在信号の前記伝送は、別のデバイスが前記確立されたタイムスロット境界に整合することを可能にする、
方法。
（項目２４）
前記リッスンするステップは、事前判定されたフレーム期間と、ランダムに生成された競合期間とを含む、第１の期間にわたって行われる、項目２３に記載の方法。
（項目２５）
前記フレーム期間は、整数のタイムスロット持続時間を備える、項目２３に記載の方法。
（項目２６）
前記存在信号は、一次同期信号と、二次同期信号とを備える、項目２３に記載の方法。
（項目２７）
前記開始するステップはさらに、前記第１の存在信号に対する確認応答をチェックするステップを含む、項目１に記載の方法。
【手続補正３】
【補正対象書類名】図面
【補正対象項目名】図１７
【補正方法】変更
【補正の内容】
【図１７】
2016529827.tif 000001